(57)【特許請求の範囲】
【請求項１】
携帯機との通信に基づいて、ドアの施解錠を行う第１の施解錠制御手段と、
メカニカルキーまたはドアロックコントロールスイッチの操作に応じて、ドアの施解錠を行う第２の施解錠制御手段と、
ドアが施錠された手段に応じて、該ドアを解錠できる手段を設定する解錠手段設定手段と
を備え、
前記解錠手段設定手段は、車両の駐車経過時間に応じて、ドアを解錠できる手段を変更することを特徴とする車両用ドアアンロック制御装置。
【請求項２】
請求項１に記載の車両用ドアアンロック制御装置において、
前記第１の施解錠制御手段は、スマートエントリーシステムまたはワイヤレスリモートコントロールシステムにより、前記携帯機からのワイヤレス信号に基づいてドアの施解錠を行うことを特徴とする車両用ドアアンロック制御装置。
【請求項３】
請求項１又は２に記載の車両用ドアアンロック制御装置において、
前記解錠手段設定手段は、車両の駐車経過時間に応じて、前記第１の施解錠制御手段の機能を停止することを特徴とする車両用ドアアンロック制御装置。
【請求項４】
請求項１ないし３のいずれか１項に記載の車両用ドアアンロック制御装置において、
ドアが施錠された手段に応じて、車両電子機器の作動制限を行う車両電子機器機能設定手段
を備えることを特徴とする車両用ドアアンロック制御装置。
【発明の詳細な説明】
【技術分野】
【０００１】
本発明は、車両がドアロックされた駐車状態にあるとき、ドアをアンロック状態に切り換える車両用ドアアンロック制御装置に関する。
【背景技術】
【０００２】
駐車時の作動電流の低減のために、ドアロックされた駐車中の車両、例えばスマートエントリーシステムを採用する車両においては、４段階で作動時間の動作間欠時間を徐々に延ばし、車両のバッテリの低減を抑止する。例えば、９日、１４日、３０日の４段階で作動時間の動作間欠時間が延長される。このようにすることにより、長期駐車時のバッテリ上がりを防止する。
【０００３】
また、キーレスエントリーシステムを有するとともに、キー操作によってもドアのロック・アンロックが可能である車両において、キー操作によりドアのロック、アンロックされたときには、これを検出し、キーレスエントリーシステムの作動電源をカットし、キーレスエントリーシステムを不動作状態とする車両用ドアロック制御装置が開示されている（例えば、特許文献１参照）。
【０００４】
この車両用ドアロック制御装置によれば、車両を長時間使用しない場合のバッテリ上がりや携帯用送信機を紛失した場合の盗難の危険を防止できる。
【特許文献１】特開平２−２０９５８３号公報
【発明の開示】
【発明が解決しようとする課題】
【０００５】
しかしながら、上述した背景技術には以下の問題がある。
【０００６】
車両駐車時に、スマートエントリーシステムの消費電力を低減させる手段としては、オフスイッチなどで、その作動を止める手段がある。この場合、ワイヤレスリモートコントロールシステムにより、ロック・アンロック作動が行われる。すなわち、携帯機からワイヤレス信号が送信されることにより、ドアのロック、アンロック作動が行われる。しかし、さらに消費電力を低減させたい場合には、その手段がない。
【０００７】
また、スマートエントリーシステムの作動を止め、その後スマートエントリーシステムを作動させる場合には、オフスイッチを解除する必要がある。したがって、ある時間だけ自動的にスマートエントリーシステムの作動を止めることはできない。
【０００８】
本発明は、上述の点に鑑みてなされたものであり、ドアがロックされた手段に応じて、アンロックする手段を自動的に変更することができる車両用ドアアンロック制御装置を提供することを目的とする。
【課題を解決するための手段】
【０００９】
上記課題を解決するため、本発明の車両用ドアアンロック制御装置は、携帯機との通信に基づいて、ドアの施解錠を行う第１の施解錠制御手段と、メカニカルキーまたはドアロックコントロールスイッチの操作に応じて、ドアの施解錠を行う第２の施解錠制御手段と、ドアが施錠された手段に応じて、該ドアを解錠できる手段を設定する解錠手段設定手段とを備え、前記解錠手段設定手段は、車両の駐車経過時間に応じて、ドアを解錠できる手段を変更することを特徴の１つとする。
【００１０】
このように構成することにより、ドアの施錠を種々の方法で可能である車両用遠隔操作装置において、施錠を行った手段に応じて、解錠する手段を設定することができる。
【００１１】
また、前記第１の施解錠制御手段は、スマートエントリーシステムまたはワイヤレスリモートコントロールシステムにより、前記携帯機からのワイヤレス信号に基づいてドアの施解錠を行うようにしてもよい。
【００１２】
このように構成することにより、ドアの施錠を、ワイヤレス、スマートで行った場合に、施錠を行った手段に応じて、解錠する手段を設定することができる。
【００１３】
また、前記解錠手段設定手段は、車両の駐車経過時間に応じて、ドアを解錠できる手段を変更するようにしてもよい。
【００１４】
このように構成することにより、駐車経過時間に応じて、作動電流が小さい解錠手段に変更することができる。
【００１５】
また、前記解錠手段設定手段は、車両の駐車経過時間に応じて、前記第１の施解錠制御手段の機能を停止するようにしてもよい。
【００１６】
このように構成することにより、駐車経過時間に応じて、作動電流が大きい解錠手段を作動停止にすることができる。
【００１７】
また、ドアが施錠された手段に応じて、車両電子機器の作動制限を行う車両電子機器機能設定手段を備えるようにしてもよい。
【００１８】
このように構成することにより、施錠後の作動に制限を持たせることができ、操作性と消費電力の低減の両立を図ることができる。
【発明の効果】
【００１９】
本発明の実施例によれば、ドアがロックされた手段に応じて、アンロックする手段を自動的に変更することができる車両用ドアアンロック制御装置を実現できる。
【発明を実施するための最良の形態】
【００２０】
次に、本発明を実施するための最良の形態を、以下の実施例に基づき図面を参照しつつ説明する。
【００２１】
なお、実施例を説明するための全図において、同一機能を有するものは同一符号を用い、繰り返しの説明は省略する。
【００２２】
本発明の実施例にかかる車両用遠隔操作装置について、図１を参照して説明する。
【００２３】
本実施例にかかる車両用遠隔操作装置は、車載電子機器１００と、携帯機２００とを備える。
【００２４】
最初に、車載電子機器１００について説明する。
【００２５】
車載電子機器１００は、車両に搭載され、アンテナを備える無線機１０２と、第２の施解錠制御手段としてのドアロックコントロールスイッチ１０４と、セキュリティ電子制御部１０６と、ドア電子制御部１０８と、車両用ドアアンロック制御装置としての制御部（ＥＣＵ：  Ｅｌｅｃｔｒｏｎｉｃ  Ｃｏｎｔｒｏｌ  Ｕｎｉｔ）１１０とを備える。
【００２６】
制御部１１０は、認証部１１２と、解錠手段設定手段としての解錠手段設定部１１４と、第１の施解錠制御手段としての施解錠制御部１１６と、車両電子機器機能設定手段としてのアラーム機能設定部１１８とを備える。無線機１０２、ドアロックコントロールスイッチ１０４、セキュリティ電子制御部１０６、ドア電子制御部１０８および制御部１１０は、バス１５０により接続される。
【００２７】
無線機１０２は、スマートエントリーシステムが作動している場合、後述する認証部１１２の命令にしたがって、リクエスト信号を発信する。その結果、スマートキーの検知エリアが形成される。例えば、無線機１０２は、車両が駐車状態である場合に、所定の周期、例えば０．３秒毎に定期的にリクエスト信号を発信する。また、無線機１０２は、リクエスト信号を発信する周期を駐車経過時間に応じて延長する（間欠作動時間延長）。その結果、リクエスト信号を送信する時間が短縮される。また、無線機１０２は、リクエスト信号の応答として携帯機２００から送信されたキーのＩＤコードを受信し、制御部１１０に入力する。
【００２８】
また、無線機１０２は、ワイヤレスリモートコントロールシステムが作動している場合、携帯機２００から送信された微弱電波を受信し、その微弱電波に含まれるワイヤレスコード、例えば識別コードおよび機能コードを示す情報を制御部１１０に入力する。また、無線機１０２は、微弱電波を受信する周期を駐車経過時間に応じて延長する（間欠作動時間延長）。その結果、微弱電波を受信する時間が短縮される。
【００２９】
ドアロックコントロールスイッチ１０４は、例えば運転席に備えられ、ドアコントロールスイッチの操作に応じて、各席ドアのロック・アンロックの制御を行う。
【００３０】
例えば、ドアロックコントロールスイッチ１０４に備えられたマニュアル作動用のドアロックコントロールスイッチのロック側またはアンロック側が押されることにより、全ドア連動でロックまたはアンロックを行う命令を、後述するドア電子制御部１０８に入力する。
【００３１】
また、例えば、運転席ドアのキーシリンダにメカニカルキーが差し込まれ、操作されることにより、全ドア連動でロックまたはアンロックを行う命令をドア電子制御部１０８に入力する。
【００３２】
セキュリティ電子制御部１０６は、車両が駐車される場合のドアがロックされた手段に応じて、アラーム機能の制御を行う。
【００３３】
例えば、車両が駐車される場合のドアがロックされた手段に応じて、ユーザが車内または車両の近くにいると判断し、オートアラームが解除され警戒を行っていない無警戒状態から、ユーザが車両から離れる準備を行っていると判断し、オートアラームのセット準備を行う警戒準備状態、ユーザが車両から離れたと判断し、オートアラームがセットされ車両盗難に対し警戒している警戒状態に対応して、アラーム機能の制御を行う。
【００３４】
ドア電子制御部１０８は、車両の各乗降用ドアに夫々設けられ、ドアロックコントロールスイッチ１０４および後述する施解錠制御部１１６からドアのロックもしくはアンロックを行うことを示す信号が入力された場合、その信号にしたがってドアのロックもしくはアンロックを行う。
【００３５】
認証部１１２は、スマートエントリーシステムが作動している場合、リクエスト信号を生成する。また、認証部１１２は、入力されたＩＤコードの判別／照合を行う。また、認証部１１２は、ワイヤレスリモートコントロールシステムが作動している場合、入力された識別コードを判別する。例えば、認証部１１２は、入力された識別コードが当該車両に固有の識別情報と一致しているか否かを認証する。
【００３６】
解錠手段設定部１１４は、ドアがロックされた手段に応じて、そのドアをアンロックできる手段を駐車経過時間に応じて変更する。
【００３７】
例えば、ドアをロックする手段としては、以下の方法がある。
【００３８】
（１）ドアロックコントロールスイッチ１０４に備えられたマニュアル作動用のドアロックコントロールスイッチのロック側を押すことにより、全ドア連動でロックする方法、また、ドアアウトサイドハンドルを引きながらロックする方法（以下、キーレスロックと呼ぶ）
（２）運転席ドアキーシリンダにメカニカルキーを差し込み、操作することにより、全ドア連動でロックする方法（以下、キー連動ロックと呼ぶ）
（３）ワイヤレスリモートコントロールシステムが作動している場合に、携帯機２００の施錠スイッチ２０８を押すことにより、全ドアをロックする方法（以下、ワイヤレスロックと呼ぶ）
（４）スマートエントリーシステムが作動している場合に、車室外検知エリアでスマートキーを携帯して降車し、全ドア“閉”のとき、車室外検知エリアで各席ドアアウトサイドハンドルのロックスイッチを押すことにより全席ドアをロックする方法（以下、スマートロックと呼ぶ）
解錠手段設定部１１４は、車両のドアのロックが、キーレスロック、キー連動ロック、ワイヤレスロックおよびスマートロックのいずれかの方法でされたかを検出し、検出されたドアがロックされた手段に基づいて、そのドアを解錠（アンロック）できる手段を設定する。
【００３９】
例えば、解錠手段設定部１１４は、駐車経過時間に応じてスマートエントリーシステムおよびワイヤレスリモートコントロールシステムを停止する。この場合、ユーザにおける操作の容易（便利）である方法ほど、時間的な制約を持たせ、キー連動操作などユーザにおける操作が不便（煩わしい）操作ほど、時間的制約を持たせない。すなわち、駐車経過時間が長くなるにしたがって、スマートエントリーシステムによるアンロック、ワイヤレスリモートコントロールシステムによるアンロック、メカニカルキーによるアンロックの順に機能の制約を行う。
【００４０】
このようにすることにより、短時間駐車における利便性は損なわず、長期駐車におけるバッテリ消費量を低減できる。
【００４１】
解錠手段設定部１１４は、ドアがロックされた手段に応じて、予め設定された作動電流の低減モードを選択し、選択された作動電流の低減モードにしたがってそのドアを解錠できる手段を設定する。
【００４２】
ここで、作動電流の低減モードについて、図２を参照して説明する。
【００４３】
本実施例においては、消費電力の大きいスマートエントリーシステムおよびワイヤレスリモートコントロールシステムを、駐車の経過時間に応じて作動停止にする。
【００４４】
スマートエントリーシステムおよびワイヤレスリモートコントロールシステムを作動停止にする時間は、車両のドアのロックが行われた手段に応じて異なる。
【００４５】
車両のドアがロックされた手段がキーレスロックである場合には、駐車された時点から、スマートエントリーシステムおよびワイヤレスリモートコントロールシステムを作動停止にする（以下、モード１と呼ぶ）。
【００４６】
この場合、駐車された時点から、運転席ドアキーシリンダにメカニカルキーを差し込み、操作することにより、全ドア連動でアンロックする方法（以下、キー連動アンロックと呼ぶ）でのみアンロックすることができる。
【００４７】
車両のドアのロックされた手段がキー連動ロックである場合には、駐車された時点から、スマートエントリーシステムは作動停止であり、ワイヤレスリモートコントロールシステムは駐車時点から一週間は通常作動であり、続く一週間は間欠作動時間の延長が行われ、それ以降は作動停止となる（以下、モード２と呼ぶ）。
【００４８】
この場合、駐車時点から一週間はワイヤレスリモートコントロールシステムによるアンロック、およびキー連動アンロックによりアンロックを行うことができる。続く一週間は、キー連動アンロックに加え、ワイヤレスリモートコントロールシステムの間欠作動時間中の作動時間であればワイヤレスリモートコントロールシステムによりアンロックを行うことができる。
【００４９】
車両のドアのロックされた手段がワイヤレスロックである場合には、駐車された時点から一週間は、スマートエントリーシステムの間欠作動時間が延長されるが、それ以降は作動停止であり、ワイヤレスリモートコントロールシステムは駐車時点から一週間は通常作動であり、それ以降は間欠作動時間の延長が行わる（以下、モード３と呼ぶ）。
【００５０】
この場合、駐車時点から一週間は、ワイヤレスリモートコントロールシステムによるアンロックおよびキー連動アンロックに加え、スマートエントリーシステムの間欠作動時間中の作動時間であればスマートエントリーシステムによるアンロックを行うことができる。続く一週間は、キー連動アンロックに加え、ワイヤレスリモートコントロールシステムの間欠作動時間中の作動時間であればワイヤレスリモートコントロールシステムによるアンロックを行うことができる。それ以降は、キー連動アンロックに加え、ワイヤレスリモートコントロールシステムの間欠作動時間中の作動時間であればワイヤレスリモートコントロールシステムによるアンロックを行うことができる。
【００５１】
車両のドアのロックされた手段がスマートロックである場合には、駐車された時点から一週間は、スマートエントリーシステムは通常動作しており、続く一週間はその間欠作動時間が延長されるが、それ以降は作動停止であり、ワイヤレスリモートコントロールシステムは駐車時点から２週間までは通常作動であるが、それ以降は間欠作動時間の延長が行わる（以下、モード４と呼ぶ）。
【００５２】
この場合、駐車時点から一週間はスマートエントリーシステムによるアンロック、ワイヤレスリモートコントロールシステムによるアンロックおよびキー連動アンロックによりアンロックを行うことができる。続く一週間は、ワイヤレスリモートコントロールシステムによるアンロック、およびキー連動アンロックに加え、スマートエントリーシステムの間欠作動時間中の作動時間であればスマートエントリーシステムによるアンロックを行うことができる。それ以降は、キー連動アンロックに加え、ワイヤレスリモートコントロールシステムの間欠作動時間中の作動時間であればワイヤレスリモートコントロールシステムによるアンロックを行うことができる。
【００５３】
施解錠制御部１１６は、スマートエントリーシステムが作動している場合に、車室外検知エリアでスマートキーを携帯したユーザが降車し、全ドア“閉”のとき、車室外検知エリアで各席ドアアウトサイドハンドルのロックスイッチを押したことを検出した場合に、全席ドアをロックする命令をドア電子制御部１０８に入力する。また、施解錠制御部１１６は、スマートエントリーシステムが作動している場合に、車室外検知エリアでスマートキーを携帯したユーザが、各席ドアアウトサイドハンドルを握った（裏面に触れた）ことを検出した場合に全ドアをアンロックする。
【００５４】
また、施解錠制御部１１６は、ワイヤレスリモートコントロールシステムが作動している場合に、携帯機２００により送信された微弱電波（ワイヤレス信号）に基づき、施解錠を行うことを示す命令にしたがって、ドアのロック・アンロックを行う命令をドア電子制御部１０８に入力する。
【００５５】
アラーム機能設定部１１８は、図３に示すように、車両のドアがロックされた手段に応じて、アラーム機能を設定する。
【００５６】
例えば、アラーム機能設定部１１８は、モード１の場合には、警戒状態におけるアラーム機能の全ての機能を制限する。例えば、車室内への不正な侵入者を検知した場合に、警報作動する機能、またそのことをユーザに通知する機能を停止する。また、アラーム機能設定部１１８は、ガラスが割れたことを検知した場合に、警報作動する機能、またそのことをユーザに通知する機能を停止する。
【００５７】
また、アラーム機能設定部１１８は、モード２の場合には、警戒状態におけるアラーム機能の一部の機能を制限する。例えば、車室内への不正な侵入者を検知した場合に、警報作動する機能を停止する。この場合、車室内への不正な侵入者を検知したことは、ユーザに通知される。
【００５８】
また、アラーム機能設定部１１８は、モード３の場合には、警戒状態におけるアラーム機能の一部の機能を制限する。例えば、ガラスが割れたことを検知した場合に、警報作動する機能を停止する。この場合、ガラスが割れたことを検知したことは、ユーザに通知される。
【００５９】
また、アラーム機能設定部１１８は、モード４の場合には、警戒状態におけるアラーム機能の制限は行わない。
【００６０】
このように、駐車時における機能の制約（制限）を行うことにより、駐車時の消費電力を低減することができ、バッテリの上がりを防止することができる。
【００６１】
次に、本実施例にかかる携帯機２００について説明する。
【００６２】
携帯機２００は、無線機２０２と、ワイヤレスコード生成部２０４と、スイッチ部２０６とを備える。スイッチ部２０６は、施錠スイッチ２０８と、解錠スイッチ２１０と、トランクスイッチ２１２とを備える。無線機２０２、ワイヤレスコード生成部２０４、施錠スイッチ２０８、解錠スイッチ２１０およびトランクスイッチ２１２は、バス２５０により接続される。
【００６３】
無線機２０２は、スマートエントリーシステムが作動している場合、リクエスト信号を受信し、その応答としてＩＤコードを送信する。また、無線機２０２は、ワイヤレスリモートコントロールシステムが作動している場合、使用者のスイッチ部２０６の操作に応じて、車両に微弱電波を送信する。この微弱電波には、ワイヤレスコード、例えば識別コード、機能コードが含まれる。
【００６４】
施錠スイッチ２０８は、ワイヤレスリモートコントロールシステムが作動している場合、車両のドアをロックする場合に押されるスイッチである。
【００６５】
解錠スイッチ２１０は、ワイヤレスリモートコントロールシステムが作動している場合、車両のドアをアンロックする場合に押されるスイッチである。
【００６６】
トランクスイッチ２１０は、ワイヤレスリモートコントロールシステムが作動している場合、車両のトランクをオープンする場合に押されるスイッチである。
【００６７】
ワイヤレスコード生成部２０４は、使用者によるスイッチ部２０６の操作に応じて、各スイッチに対応付けられた機能コードを生成し、無線機２０２に入力する。
【００６８】
次に、本実施例にかかる車両用遠隔操作装置の動作について説明する。ここでは、主に制御部１１０の動作について、図４を参照して説明する。
【００６９】
解錠手段設定部１１４は、ドアがロックされたか否かを判断する（ステップＳ４０２）。
【００７０】
ドアがロックされていない場合（ステップＳ４０２：ＮＯ）、ステップＳ４０２に戻る。一方、ドアがロックされた場合（ステップＳ４０２：ＹＥＳ）、解錠手段設定部１１４は、ドアがロックされた手段がキーレスロックであるか否かを判断する（ステップＳ４０４）。
【００７１】
ドアがロックされた手段がキーレスロックである場合（ステップＳ４０４：ＹＥＳ）、解錠手段設定部１１４はモード１を選択し、モード１にしたがってそのドアを解錠できる手段を設定する（ステップＳ４０６）。すなわち、駐車された時点から、スマートエントリーシステムおよびワイヤレスリモートコントロールシステムを作動停止にする。
【００７２】
一方、ドアがロックされた手段がキーレスロックでない場合（ステップＳ４０４：ＮＯ）、解錠手段設定部１１４は、ドアがロックされた手段がキー連動ロックであるか否かを判断する（ステップＳ４０８）。
【００７３】
ドアがロックされた手段がキー連動ロックである場合（ステップＳ４０８：ＹＥＳ）、解錠手段設定部１１４はモード２を選択し、モード２にしたがってそのドアを解錠できる手段を設定する（ステップＳ４１０）。すなわち、駐車された時点から、スマートエントリーシステムを作動停止にし、ワイヤレスリモートコントロールシステムは駐車時点から一週間は通常作動させ、続く一週間は間欠作動時間の延長を行い、それ以降は作動停止とする。
【００７４】
一方、ドアがロックされた手段がキー連動ロックでない場合（ステップＳ４０８：ＮＯ）、解錠手段設定部１１４は、ドアがロックされた手段がワイヤレスロックであるか否かを判断する（ステップＳ４１２）。
【００７５】
ドアがロックされた手段がワイヤレスロックである場合（ステップＳ４１２：ＹＥＳ）、解錠手段設定部１１４はモード３を選択し、モード３にしたがってそのドアを解錠できる手段を設定する（ステップＳ４１４）。すなわち、駐車された時点から一週間は、スマートエントリーシステムの間欠作動時間を延長し、それ以降は作動停止にし、ワイヤレスリモートコントロールシステムは駐車時点から一週間は通常作動させ、それ以降は間欠作動時間の延長を行う。
【００７６】
一方、ドアがロックされた手段がワイヤレスロックでない場合（ステップＳ４１２：ＮＯ）、解錠手段設定部１１４は、ドアがロックされた手段がスマートロックであるか否かを判断する（ステップＳ４１６）。
【００７７】
ドアがロックされた手段がスマートロックである場合（ステップＳ４１６：ＹＥＳ）、解錠手段設定部１１４はモード４を選択し、モード４にしたがってそのドアを解錠できる手段を設定する（ステップＳ４１８）。すなわち、駐車された時点から一週間は、スマートエントリーシステムを通常動作させ、続く一週間はその間欠作動時間を延長し、それ以降は作動停止とし、ワイヤレスリモートコントロールシステムは駐車時点から２週間までは通常作動させ、それ以降は間欠作動時間の延長を行う。
【００７８】
一方、ドアがロックされた手段がスマートロックでない場合（ステップＳ４１６：ＮＯ）、終了する。
【００７９】
本発明の実施例によれば、スマートエントリーなど駐車時に作動電流を使用するシステムを備えた車両用遠隔操作装置において、ドアがロックされた場合に、キーレス、キー連動、ワイヤレス、スマートのいずれかでロックされたかを検出して、その検出結果に基づいて、アンロックする手段を駐車経過時間に応じて変更する。このようにすることにより、消費電力を低減できる。
【００８０】
また、ドアがロックされた場合に、その後の各作動に制約を持たせることにより、さらに消費電力を低減できる。
【００８１】
また、駐車時の作動電流を選択することができる。例えば、長期駐車する場合には、作動電流が小さいモードとなるドアをロックする手段を選択することにより、消費電力を低減でき、車両のバッテリ上がりを防止することができる。
【００８２】
本実施例においては、スマートエントリーシステムおよびワイヤレスリモートコントロールシステムの作動を停止する時間の単位が１週間である場合について説明したが、この単位時間は適宜変更可能である。また、本実施例においては、スマートエントリーシステムおよびワイヤレスリモートコントロールシステムを備える場合について説明したが、少なくとも一方のシステムを備える場合においても適用できる。
【００８３】
また本実施例においては、ドアがロックされた場合の、車両電子機器の機能を制限する一例として、アラーム機能を制限する場合について説明したが、アラーム機能以外の機能を制限するようにしてもよい。
【産業上の利用可能性】
【００８４】
本発明にかかる車両用ドアアンロック制御装置は、車両のスマートエントリーシステムおよびワイヤレスリモートコントロールシステムに適用できる。
【図面の簡単な説明】
【００８５】
【図１】本発明の一実施例にかかる車両用遠隔操作装置を示すブロック図である。
【図２】解錠手段を示す説明図である。
【図３】駐車時の機能制約を示す説明図である。
【図４】本発明の一実施例にかかる車両用遠隔操作装置の動作を示すフローチャートである。
【符号の説明】
【００８６】
１００  車載電子機器
１５０、２５０  バス
２００  携帯機
【図１】
0004613788.tif 000002
【図２】
0004613788.tif 000003
【図３】
0004613788.tif 000004
【図４】
0004613788.tif 000005